(57)【要約】【課題】従来のシステムでは、監視対象となる建物の間仕切り変更や用途変更に伴って自動的に火災感知器のデータベースの構築、追加削除ができないという課題があった。【解決手段】電源が投入されると、感知器３０の応答の有無を表す枝番情報をポーリングにより収集する中継器２０と、前記中継器により収集された枝番情報に基づいて監視制御の対象となる感知器のデータベースを構築する火災受信機１０とを設けた。【効果】アドレス毎の感知器の有無をデータベース（ＤＢ）として設定する必要が無く、施工が容易である。【選択図】        図２
2004302980.tif 000002
【特許請求の範囲】
【請求項１】
電源が投入されると、感知器の応答の有無を表す枝番情報をポーリングにより収集する中継器と、
前記中継器により収集された枝番情報に基づいて監視制御の対象となる感知器のデータベースを構築する火災受信機と
を備えたことを特徴とする火災報知システム。
【請求項２】
通常監視状態において、感知器の応答の有無を表す枝番情報をポーリングにより収集し、前記枝番情報に変更があった場合にはその旨を通知する中継器と、
前記中継器により収集された変更があった枝番情報に基づいて監視制御の対象となる感知器のデータベースを更新する火災受信機と
を備えたことを特徴とする火災報知システム。
【請求項３】
通常監視状態において、所定の感知器が取り外された場合に、感知器の応答の有無を表す枝番情報をポーリングにより収集し、前記枝番情報に変更があった場合にはその旨を通知する中継器と、
前記中継器により収集された変更があった枝番情報に基づいて、無応答となった感知器の枝番を表示装置に表示するとともに、前記表示装置に表示される一連の感知器設定の画面への操作により、監視制御の対象となる感知器のデータベースから無応答の感知器の枝番を削除する火災受信機と
を備えたことを特徴とする火災報知システム。
【請求項４】
前記火災受信機は、前記枝番情報に基づいて、正常応答が有った枝番には感知器有りとして、応答が無かった枝番には感知器無しとして前記データベースに登録する
ことを特徴とする請求項１から請求項３までのいずれかに記載の火災報知システム。
【請求項５】
前記中継器は、複数の感知器回線を介して複数の感知器が接続されており、前記感知器からの火災信号をスイッチング動作によって感知器回線毎に認識するとともに、前記感知器からの異常情報を前記感知器回線上の枝番毎に認識する
ことを特徴とする請求項１から請求項４までのいずれかに記載の火災報知システム。
【発明の詳細な説明】
【０００１】
【発明の属する技術分野】
この発明は、火災感知器のデータベースを自動的に構築、更新登録する火災報知システムに関するものである。
【０００２】
【従来の技術】
従来のシステムにおいては、火災感知器と被制御機器との連動関係を示す連動データ等を記憶しているＥＥＰＲＯＭを設け、更新用の設定データを記憶しているＩＣカード等から、火災受信機の電源立ち上げ時等に、設定データを読み取る読取手段と、この読み取られた設定データをＥＥＰＲＯＭに書き込む書き込み手段とを設けた（例えば、特許文献１参照）。
【０００３】
【特許文献１】
特開平０６−２５９６７０号公報（第１頁、図１）
【０００４】
【発明が解決しようとする課題】
上述したような従来のシステムでは、監視対象となる建物の間仕切り変更や用途変更に伴って、ＥＥＰＲＯＭ内の設定データを更新するデータを用意して、設定データを書き換える作業が発生し、自動的に火災感知器のデータベースの構築、追加削除ができないという問題点があった。
【０００５】
この発明は、上述のような課題を解決するためになされたもので、その目的は、監視対象となる建物の間仕切り変更や用途変更に伴って、火災感知器のデータベースを容易に構築、追加削除することができる火災報知システムを得るものである。
【０００６】
【課題を解決するための手段】
この発明に係る火災報知システムは、電源が投入されると、感知器の応答の有無を表す枝番情報をポーリングにより収集する中継器と、前記中継器により収集された枝番情報に基づいて監視制御の対象となる感知器のデータベースを構築する火災受信機とを設けたものである。
【０００７】
また、この発明に係る火災報知システムは、通常監視状態において、感知器の応答の有無を表す枝番情報をポーリングにより収集し、前記枝番情報に変更があった場合にはその旨を通知する中継器と、前記中継器により収集された変更があった枝番情報に基づいて監視制御の対象となる感知器のデータベースを更新する火災受信機とを設けたものである。
【０００８】
さらに、この発明に係る火災報知システムは、通常監視状態において、所定の感知器が取り外された場合に、感知器の応答の有無を表す枝番情報をポーリングにより収集し、前記枝番情報に変更があった場合にはその旨を通知する中継器と、前記中継器により収集された変更があった枝番情報に基づいて、無応答となった感知器の枝番を表示装置に表示するとともに、前記表示装置に表示される一連の感知器設定の画面への操作により、監視制御の対象となる感知器のデータベースから無応答の感知器の枝番を削除する火災受信機とを設けたものである。
【０００９】
【発明の実施の形態】
実施の形態１．
この発明の実施の形態１に係る火災報知システムについて図面を参照しながら説明する。図１は、この発明の実施の形態１に係る火災報知システムの構成を示す図である。なお、各図中、同一符号は同一又は相当部分を示す。
【００１０】
図１において、火災報知システムは、火災受信機１０と、この火災受信機１０に信号線Ｌ１を通じて接続された中継器２０と、この中継器２０に感知器回線Ｌ２を通じて接続された複数の感知器（Ｓ）３０とから構成されている。さらに、火災受信機１０には、信号線Ｌ１を通じて感知器３０とは異なる火災受信機１０へ火災信号を送出するための図示しない感知器等のその他の端末機器が接続されている。
【００１１】
また、図１において、火災受信機１０は、制御部１１と、表示操作部１２と、記憶部１３と、送受信部１４とから構成されている。この制御部１１は、ＣＰＵ、タイマー等を含む。また、表示操作部１２は、ＬＣＤ等の表示装置１２Ａを含む。さらに、記憶部１３は、データベース１３Ａを含む。
【００１２】
さらに、図１において、中継器２０は、制御部２１と、送受信部２２と、信号受信部２３と、送受信部２４とから構成されている。この制御部２１は、ＣＰＵ、メモリ等を含む。また、送受信部２２は、信号線Ｌ１を通じて火災受信機１０と接続されている。さらに、信号受信部２３及び送受信部２４は、感知器回線Ｌ２を通じて複数の感知器３０に直列に接続されている。
【００１３】
感知器３０は、例えば、一般型感知器（オンオフ型）とＡＴＦ（自動試験機能付）感知器が混在して接続されている。ＡＴＦ感知器は、試験情報収集のための伝送信号の送受信を行う。なお、ＡＴＦ感知器からの火災信号は、一般型感知器と同じようにオンオフ信号であり、中継器２０の信号受信部２３で受信される。つまり、ＡＴＦ感知器からの火災信号は、伝送信号ではなく、いわゆるスイッチング動作を行い、感知器回線Ｌ２を低インピーダンス状態とする。
【００１４】
図２は、この発明の実施の形態１に係る火災報知システムの火災受信機のデータベースの構成例を示す図である。
【００１５】
図２において、データベース１３Ａは、アドレス１３１と、端末名称１３２と、メッセージ１３３と、枝番１３４とを備えるように構成されている。アドレス１３１は、信号線Ｌ１に接続される中継器２０、図示しない感知器等の端末機器に個別に付与される００１、００２などの番号である。端末名称１３２は、中継器、感知器等が該当し、各種の機種を実際には簡略的なコードで設定している。これらの項目以外に、連動設定、感度設定、蓄積有無など、個々の端末に必要なデータ設定がデータベース１３Ａに行われる。メッセージ１３３は、「地下１階１番  駐車場」等の設定場所を表わすための文字列で、最大１６文字である。
【００１６】
自己点検機能付火災感知器（ＡＴＦ感知器）３０が、感知器回線Ｌ２を介して接続される中継器２０があり、また、この中継器２０を端末機器として信号線Ｌ１に接続可能とする火災受信機１０があり、この感知器回線Ｌ２に接続するＡＴＦ感知器３０は、監視対象となる建物、例えばテナントビルにおいて細かな間仕切り変更や用途変更に伴って容易に追加削除できることが好ましい。
【００１７】
図３は、この発明の実施の形態１に係る中継器とＡＴＦ感知器との信号伝送の一例を示す波形図である。
【００１８】
図３において、「親」は図１における中継器２０であり、「子」は図１におけるＡＴＦ感知器３０である。中継器２０が、感知器回線Ｌ２毎に一般型感知器と混在して設けられる複数のＡＴＦ感知器３０のみに個別のアドレスが付与されていて、そのアドレスに基づいてＡＴＦ感知器３０をグループ化して、１５アドレス単位で、ＡＴＦ感知器３０のデータを収集するもので、起動パルス、基準パルス、コマンドＣＭ１を送出する。
【００１９】
起動パルスは、ＡＴＦ感知器３０に伝送開始を認識させるためのパルスであり、中継器２０は、パルス幅２ｍｓのロー（Ｌｏ）パルスを送出する。ＡＴＦ感知器３０の図示しないマイコンは、火災検出動作等の必要な動作後はスリープモードに入るものであり、この起動パルスの受信によってスタートして安定する時間が必要となる。
【００２０】
基準パルスは、伝送上のパルス間隔の基本長となるパルスであり、立下りエッヂ間隔（ハイ（Ｈｉ）からロー（Ｌｏ）への変化タイミングと、次のハイ（Ｈｉ）からロー（Ｌｏ）への変化タイミングの間）で４ｍｓとする。
【００２１】
コマンドＣＭ１は、ＡＴＦ感知器３０への制御コマンドであり、８ビット（ｂ７〜ｂ０）のコードを４つのパルス間隔で示し、各パルスそれぞれについて間隔を判断しコードに置き換える。
【００２２】
このように、１つの立下りエッヂ間隔で２ビットのコードを示し、エッヂ間隔が４ｍｓが００ｂ、６ｍｓが０１ｂ、８ｍｓが１０ｂ、１０ｍｓが１１ｂであり、これらの組み合わせによって、アドレス１〜１５のデータを収集するポーリング１、アドレス１６〜３０のデータを収集するポーリング２のコマンドＣＭ１を形成する。また、詳細に示さないが、ＡＴＦ感知器３０を指定する制御コマンドとしてのセレクティング、ＡＴＦ感知器３０をスリープモードとするスリープ開始コマンド等を利用することができる。そして、ＡＴＦ感知器３０はコマンドＣＭ１を解析して伝送内容を認識する。
【００２３】
つぎに、図３のスロット０〜１４は、ＡＴＦ感知器３０から中継器２０へ送信するタイミングを定めるものである。ポーリング１または２および自己のアドレスに基づきスロット位置（図４（ａ）参照）が設定され、ＡＴＦ感知器３０は、設定されたスロットに、正常または異常を表すコードを示すパルス（図４（ｂ）参照）を送信する。すなわち、各ＡＴＦ感知器３０において、試験機能の結果として機能が正常であればパルス幅２ｍｓで、異常であればパルス幅４ｍｓで、いずれか１つのパルスが返送される。
【００２４】
このような信号伝送を用い、中継器２０は、制御コマンドＣＭ１内にポーリング１または２の制御内容を含め、送信することで、感知器回線Ｌ２に接続されたＡＴＦ感知器３０の正常または異常の情報を個別に収集することができる。同時に、各スロット内のパルスの有無に基づいて、ＡＴＦ感知器３０の無応答を判別する。
【００２５】
なお、この例では１つの感知器回線Ｌ２にアドレス指定できるＡＴＦ感知器３０は３０個までとなっているが、この個数に限定する必要はなく、スロットの数やポーリング１および２の個数によって任意に設定することができる。
【００２６】
このようにして、中継器２０がＡＴＦ感知器３０から火災信号を従来の中継器と同様にスイッチング動作によって一般型感知器を含めて検出するとともに、必要なＡＴＦ感知器３０から、感知器回線Ｌ２における信号伝送によって自動試験結果およびＡＴＦ感知器３０の有無を収集でき、異常または無応答となったＡＴＦ感知器３０が中継器２０で認識できる。
【００２７】
したがって、中継器２０は、枝のアドレス毎にＡＴＦ感知器３０を区別して状態情報を収集するが、電源投入時の最初の情報収集で、枝のアドレスとして設定可能な最大値までＡＴＦ感知器３０からの正常応答は有り（接続している）、無応答は無し（接続していない）として、データベース（ＤＢ）登録する。このデータベース（ＤＢ）登録は、制御部２１の図示しないＤＢ記憶部に設定され、後述する火災受信機１０のポーリングによって、火災受信機１０へ送出される。
【００２８】
そして、通常監視時において、所定時間間隔（例えば、１分おき）に枝のアドレス毎に状態情報を収集する信号伝送を行い、無応答で無しとなっている枝のアドレス（ＡＴＦ感知器）についても、有りと同様に情報収集を行い、ＤＢ（データベース）登録で無しとなっているアドレス（ＡＴＦ感知器）について正常応答が返信されると、中継器２０は、ＤＢの該当する枝のアドレス（ＡＴＦ感知器）を無し（接続していない）から有り（接続している）に自動的に変更する。そして、状態変化が有ることとして、後述する火災受信機１０のポーリングに応答し、セレクティングを受けて、中継器２０からＤＢ記憶部の情報を火災受信機１０へ送出する。
【００２９】
また、ＡＴＦ感知器３０を削除した場合、該当する枝のアドレス（ＡＴＦ感知器）は無応答と認識され、その枝のアドレスを無しにするには、火災受信機１０からの変更操作を必要とする。なお、無応答はいうまでもなく状態変化であり、後述する火災受信機１０からのセレクティングによって中継器２０の状態情報が収集される。
【００３０】
つぎに、この実施の形態１に係る火災報知システムの動作について図面を参照しながら説明する。
【００３１】
図５は、この発明の実施の形態１に係る火災受信機と中継器とのポーリングの一例を示すタイムチャートである。
【００３２】
信号線Ｌ１は、火災受信機１０と複数の端末機器の一つとしての中継器２０とを接続する。中継器２０を含めて各端末機器には、個々に個別のアドレスが付与されている。この中継器２０には、図１に示すように、感知器回線Ｌ２を介して複数のＡＴＦ感知器３０が接続されている。
【００３３】
この信号線Ｌ１上で信号伝送する場合、所定数の端末機器を一つのグループとして複数のグループを設定し、火災受信機１０が所定のグループを指定し、指定されたグループに属している端末機器が個別に応答するポイントポーリングを実行し、この指定されたグループに属している各端末機器が、自己のアドレスに応じてタイミングを測り、個別に連続的に応答する。
【００３４】
このポイントポーリングを図５に示すように全てのグループに実行することによって、信号線Ｌ１上の全ての端末機器からそれぞれの状態を示す情報を収集し、監視状態では、上記動作を１サイクルとして情報収集を繰り返す。
【００３５】
ここで、上記各端末機器には、端末機器ごとに２桁の１６進数によって定められる信号線Ｌ１上のアドレスが付与されている。すなわち、各端末機器には００ｈ、０１ｈ、…、のようなアドレスが付与され、互いに異なる固有のアドレスとして１個ずつ与えられている。アドレスが付与されている端末機器は、複数のグループ、例えば１５個のグループに分けられ、各グループにはそれぞれ例えば１６台の各種端末機器が属している。
【００３６】
このように、複数の端末機器のそれぞれに、複数の桁数で表示されるアドレスを付与し、アドレス中の特定の桁によってグループ番号を表すことで、「ポイントポーリング」の「グループ情報収集フレーム」においてはグループ番号が共通する複数の端末機器を、ポーリングと同じに呼出すことができる。また、呼出されたグル一プ番号を有する複数の端末機器のそれぞれは、グループ内での各端末機器のアドレスが異なるのを利用して、各端末機器毎に応答タイミングを異なるように割り当てている。
【００３７】
火災受信機１０は、信号線Ｌ１上の各端末機器に対して、後述のポイントポーリング、セレクティング、システムポーリングの各モードによってポーリングを行い、所定の端末機器から情報を収集したり、所定の端末機器を制御する。
【００３８】
図６は、ポイントポーリングを示すタイムチャートであり、「グループ情報集フレーム」と「発信機検出フレーム」とで構成されている。
【００３９】
「グループ情報収集フレーム」は、各端末機器を一つ一つ順次ポーリングする（呼出して応答させる）のではなく、信号線Ｌ１上の各端末機器を例えば１５個のグループにグループ化し、その各グループ毎に、火災受信機１０が呼出すフレームである。呼出されたグループに属する各端末機器は、各端末機器毎に割り当てられた応答タイミング時に、状態情報または種別情報ＩＤ等の要求されたデータを順次、火災受信機１０に返送する。
【００４０】
つまり、この動作では、中継器２０等の複数の端末機器が火災受信機１０に接続されている火災報知システムにおいて、複数の端末機器が複数のグループに分けられ、火災受信機１０がグループ毎にボーリングを行い、複数のグループのうちの所定のグループヘのポーリング信号発信と、上記所定のグループの次ぎのグループヘのポ一リング信号発信との間に、上記所定グループに属する複数の端末機器からの情報を、時分割で受信機１０が受信する。これによれば、１つのグループに属する端末機器が多数である場合に、火災を検出した端末機器を迅速に検出することができる。
【００４１】
ここで、「状態情報」とは、端末機器が火災感知器である場合は、検出した火災現象の物理量データまたは火災信号であり、端末機器が各種中継器である場合は、オンオフ式火災感知器やガス漏れ検知器が接続されているときに、火災信号やガス漏れ信号の有無を示すデータであり、防火戸や地区ベル等の被制御機器が接続されているときに、これらの機器の開閉状態や動作中か否かを示すデータあるいは鳴動中か否かを示すデータであり、その他に、中継器２０のように、自動試験機能を備えた端末機器の場合、異常状態を示す異常信号を示すデータも用いられる。
【００４２】
また、ポイントポーリングを構成する「発信機検出フレーム」は、図示しない発信機が人為的に操作されるもので、発信機の作動情報は信頼性が高いことから、速やかに作動情報を収集するために設けられたフレームである。
【００４３】
図７は、セレクティングを示すタイムチャートであり、「セレクティング」は、所望の端末機器に対応するアドレスを指定して所定の制御命令を送信し、当該端末機器を制御したり、また、任意の端末機器に状態情報等の要求命令を所望の端末機器に送信し、個々の端末機器から状態情報を収集する動作である。
【００４４】
なお、図示しないが、「システムポーリング」は、火災受信機１０が端末機器に対して所定の制御命令を送信し、全ての端末機器を制御するものである。ここで、システムポーリングによる制御命令は、例えば、火災復旧命令（火災信号を出力した火災感知器や中継器等の端末機器を正常な監視状態に復旧させる命令）、地区音響停止命令（鳴動中の地区ベルを停止させる命令）等である。
【００４５】
図８は、図１の火災受信機１０の動作を示すシステムフローチャートである。
【００４６】
まず、火災報知システムの電源を投入することによって立上げが行われた後、初期設定を行い（ステップＳ１）、次に、火災受信機１０に作業員がセレクティング命令を入力したか否かを判別し（ステップＳ２）、次に、入力されていない場合には、システムポーリング命令を入力したか否かを判別し（ステップＳ３）、上記システムポーリング命令が入力されていない場合には、ポイントポーリングを行い（ステップＳ４）、ステップＳ２に戻る。すなわち、図５の伝送が１サイクルになるように、上記動作（ステップＳ２〜Ｓ４）を繰り返す。
【００４７】
図９及び図１０は、ＡＴＦ感知器データベース登録の動作を示す。図９は、火災受信機１０の起動時（全システムの起動時となる）の通常監視状態に入る以前の動作を示す。一方、図１０は、通常監視状態での中継器２０の枝番情報収集の動作を示し、所定期間毎（具体的には、例えば１分）に収集している。この図１０のステップ２１２では、収集結果が応答無しから有りになった場合（追加）を示しているが、有りからの無応答（削除）や異常応答の場合もある。
【００４８】
また、図９及び図１０において、中継器２０から火災受信機１０への通知のステップは、火災受信機１０のポイントポーリングヘの応答であり、火災受信機１０の枝番情報要求のステップはセレクティングである。さらに、中継器２０は、枝番毎にＡＴＦ感知器３０の状態を制御部２１内の図示しないメモリに格納するとともに、異常情報の有無、無応答の有無を判別し、火災受信機１０のポイントポーリングに応答する。
【００４９】
図９のステップ２０１において、電源が投入されると、中継器２０の制御部２１は、送受信部２４を通じて感知器回線Ｌ２上のＡＴＦ感知器３０に対してアドレス毎に呼び出して、枝番情報収集を実施する。ＡＴＦ感知器３０から正常応答が返ってくれば、ＡＴＦ感知器３０が接続されている（有り）とみなす。また、ＡＴＦ感知器３０から応答が無い場合には、ＡＴＦ感知器３０が接続されていない（無し）とみなす。
【００５０】
次に、ステップ２０２において、中継器２０は、枝番情報収集が完了すると、火災受信機１０のポイントポーリングヘの応答で、火災受信機１０へ枝番収集完了通知を送信する。
【００５１】
一方、ステップ１０２において、火災受信機１０の制御部１１は、枝番収集完了通知を受け取ると、セレクティングにより中継器２０へ枝番情報要求を送信する。
【００５２】
次に、ステップ２０２において、中継器２０は、枝番情報要求を受け取ると、収集した枝番情報を返送する。
【００５３】
ステップ１０３において、火災受信機１０は、中継器２０により収集された枝番情報に基づいてデータベース１３Ａを構築する。その後、通常監視状態に移行する。図２において、データベース１３Ａの枝番１３４について、例えば、○印の枝番が有りに該当し、×印の枝番が無しに該当する。
【００５４】
図１０のステップ２１１において、通常監視状態において、中継器２０の制御部２１は、送受信部２４を通じて感知器回線Ｌ２上のＡＴＦ感知器３０に対してアドレス毎に状態情報を収集し、枝番情報収集を実施する。ＡＴＦ感知器３０から正常応答が返ってくれば、ＡＴＦ感知器３０が接続されている（有り）とみなす。また、ＡＴＦ感知器３０から応答が無い場合には、ＡＴＦ感知器３０が接続されていない（無し）とみなす。なお、出力値異常が返ってくれば、そのＡＴＦ感知器３０は異常状態と判断する。
【００５５】
次に、ステップ２１２において、データベース１３Ａの登録データで無しの枝番から正常応答があったかを判断する。正常応答が無しの場合は通常監視状態へ戻り、正常応答が有りの場合（追加）には次のステップ２１３へ進む。
【００５６】
次に、ステップ２１３において、中継器２０は、正常応答が有りの場合には、火災受信機１０のポイントポーリングヘの応答で、火災受信機１０へ枝番変更（追加）有りの通知を送信する。
【００５７】
一方、ステップ１１１において、火災受信機１０の制御部１１は、枝番変更有りの通知を受け取ると、セレクティングにより中継器２０へ枝番情報要求を送信する。
【００５８】
次に、ステップ２１４において、中継器２０は、枝番情報要求を受け取ると、収集した枝番追加情報を返送する。
【００５９】
ステップ１１２において、火災受信機１０は、中継器２０により収集された枝番追加情報に基づいてデータベース１３Ａを更新（枝番追加）する。その後、通常監視状態に移行する。
【００６０】
図１１は、この発明の実施の形態１に係る火災報知システムの動作を示すフローチャートである。
【００６１】
この図１１に示すデータベース（ＤＢ）削除の動作は、作業ステップ的になっているが、無応答表示時に操作入力によって、該当感知器を無しとするようにデータベースを変更する。
【００６２】
図１２〜図１６は、この発明の実施の形態１に係る火災報知システムの火災受信機の表示装置の画面表示例を示す図である。
【００６３】
図１１のステップ３０１において、不要なＡＴＦ感知器３０が取り外された場合に、その後、中継器２０の制御部２１が、送受信部２４を通じてアドレス毎の状態情報収集動作により、枝番情報収集を実施すると、取り外されたＡＴＦ感知器３０からの応答が無く、ＡＴＦ感知器３０が接続されていない（無し）とみなす。この後の動作は、図１０の通りである。
【００６４】
次に、ステップ３０２において、火災受信機１０の制御部１１は、中継器２０により収集された枝番情報に基づいて、無応答のＡＴＦ感知器３０の枝番を表示装置（ＬＣＤ）１２Ａに表示する。取り外されたＡＴＦ感知器３０と表示内容の確認が済むと、所定の操作によりメニュー画面を表示装置（ＬＣＤ）１２Ａに表示する。
【００６５】
次に、ステップ３０３において、火災受信機１０は、メニュー機能（感知器設定）により、無応答のＡＴＦ感知器３０の削除を実行する。
【００６６】
そして、ステップ３０４において、火災受信機１０は、図１６の画面の『終了』ボタンの操作により、データベース１３Ａから該当のＡＴＦ感知器３０の枝番（アドレス番号）を削除（無しに）する。その後、通常監視状態に移行する。
【００６７】
すなわち、図１２に示すメニュー画面において、矢印Ｙ１によって指されている、詳細に示さないタッチパネル方式による『保守機能』ボタンが操作されると、図１３に示すような保守機能画面が表示装置（ＬＣＤ）１２Ａに表示される。
【００６８】
次に、図１３に示す保守機能画面において、矢印Ｙ２によって指されている『感知器設定』ボタンが操作されると、図１４に示すような感知器設定画面が表示装置（ＬＣＤ）１２Ａに表示される。
【００６９】
次に、図１４に示す感知器設定画面において、暗証番号が入力されて、『実行』ボタンが操作されると、図１５に示すような別の感知器設定画面が表示装置（ＬＣＤ）１２Ａに表示される。
【００７０】
次に、図１５に示す別の感知器設定画面において、『実行』ボタンが操作されると、図１６に示すような感知器設定実行中画面が表示装置（ＬＣＤ）１２Ａに表示される。
【００７１】
そして、図１６に示す感知器設定実行中画面において、『終了』ボタンが操作されると、データベース１３Ａから該当のＡＴＦ感知器３０の枝番（アドレス番号）が削除され、図１３に示すような保守機能画面に戻り、その画面が表示装置（ＬＣＤ）１２Ａに表示される。
【００７２】
すなわち、複数の端末機器（感知器等）に個別のアドレス番号が付与され、中継器２０に信号線Ｌ１を介して接続される火災受信機１０は、アドレス毎に個々の端末機器から状態情報を収集する状態監視手段（ステップ２０１）と、この状態監視手段による情報収集動作において正常応答の有るアドレスには端末有りとしてデータベースを構築するデータベース設定手段（ステップ１０３）と、上記端末有りのアドレスについて無応答のときに警報動作を行い、上記端末有りのアドレス以外のアドレスについて無応答のときに警報動作を行わない警報手段（制御部１１）と、を備えていることを特徴とする。
【００７３】
従って、応答の有るアドレスのみを対象として端末機器を監視制御するので、アドレス毎の端末機器の有無をデータベース（ＤＢ）として予め設定する必要が無く、施工が容易な火災報知システムとすることができる。また、施工済みのシステムにおいて、火災感知器等の追加を行っても、データベースに自動的に追加することができる。
【００７４】
また、信号線Ｌ１を介して火災受信機１０に接続される中継器２０は、上記信号線Ｌ１を介して火災受信機１０に無応答の状態情報を送信する。
【００７５】
また、火災受信機１０は、制御部１１により、無応答の旨の詳細表示、注意灯の点灯、または注意音響の鳴動のいずれか、または複数の組み合わせの警報動作を実施する。
【００７６】
また、中継器２０は、信号線としての感知器回線を介して複数の端末機器としての火災感知器３０が接続されているとともに、火災感知器３０からの火災信号をスイッチング動作によって感知器回線毎に受信し、また、上記感知器回線上の火災感知器３０からの異常情報を上記感知器回線上のアドレス番号毎に受信する。
【００７７】
従って、中継器２０が端末機器としての火災感知器３０から信号を受ける際、火災信号としてスイッチング動作により回線毎に認識することができ、異常情報についてはアドレス毎に受信して異常の火災感知器３０を個別に認識することができる。また、火災信号をスイッチング動作にすることで、中継器２０において、即座に認識できる。
【００７８】
さらに、中継器２０は、感知器回線を複数回線設けることができる。
【００７９】
従って、中継器２０は、複数回線を利用して、回線毎に監視制御できる。
【００８０】
【発明の効果】
この発明に係る火災報知システムは、以上説明したとおり、監視対象となる建物の間仕切り変更や用途変更に伴って自動的に火災感知器のデータベースを容易に構築、追加削除することができるという効果を奏する。
【図面の簡単な説明】
【図１】この発明の実施の形態１に係る火災報知システムの構成を示す図である。
【図２】この発明の実施の形態１に係る火災報知システムの火災受信機のデータベースの構成例を示す図である。
【図３】この発明の実施の形態１に係る中継器とＡＴＦ感知器との信号伝送の一例を示す波形図である。
【図４】この発明の実施の形態１に係る中継器とＡＴＦ感知器との信号伝送のアドレスとスロットの関係、及び正常と異常を表すパルスを示す図である。
【図５】この発明の実施の形態１に係る火災受信機と中継器とのポーリングの一例を示すタイムチャートである。
【図６】この発明の実施の形態１に係る火災受信機と中継器とのポイントポーリングを示すタイムチャートである。
【図７】この発明の実施の形態１に係る火災受信機と中継器とのセレクティングを示すタイムチャートである。
【図８】この発明の実施の形態１に係る火災受信機の動作を示すシステムフローチャートである。
【図９】この発明の実施の形態１に係る火災報知システムの動作を示すフローチャートである。
【図１０】この発明の実施の形態１に係る火災報知システムの動作を示すフローチャートである。
【図１１】この発明の実施の形態１に係る火災報知システムの動作を示すフローチャートである。
【図１２】この発明の実施の形態１に係る火災報知システムの火災受信機の表示装置の画面表示例を示す図である。
【図１３】この発明の実施の形態１に係る火災報知システムの火災受信機の表示装置の画面表示例を示す図である。
【図１４】この発明の実施の形態１に係る火災報知システムの火災受信機の表示装置の画面表示例を示す図である。
【図１５】この発明の実施の形態１に係る火災報知システムの火災受信機の表示装置の画面表示例を示す図である。
【図１６】この発明の実施の形態１に係る火災報知システムの火災受信機の表示装置の画面表示例を示す図である。
【符号の説明】
１０  火災受信機、１１  制御部、１２  表示操作部、１３  記憶部、１４  送受信部、２０  中継器、２１  制御部、２２  送受信部、２３  信号受信部、２４  送受信部、３０  感知器。
【図１】
2004302980.tif 000003
【図２】
2004302980.tif 000004
【図３】
2004302980.tif 000005
【図４】
2004302980.tif 000006
【図５】
2004302980.tif 000007
【図６】
2004302980.tif 000008
【図７】
2004302980.tif 000009
【図８】
2004302980.tif 000010
【図９】
2004302980.tif 000011
【図１０】
2004302980.tif 000012
【図１１】
2004302980.tif 000013
【図１２】
2004302980.tif 000014
【図１３】
2004302980.tif 000015
【図１４】
2004302980.tif 000016
【図１５】
2004302980.tif 000017
【図１６】
2004302980.tif 000018